【手続補正書】
【提出日】平成24年6月1日(2012.6.1)
【手続補正１】
【補正対象書類名】特許請求の範囲
【補正対象項目名】全文
【補正方法】変更
【補正の内容】
【特許請求の範囲】
【請求項１】
商品を提供するための商品保管システムであって、
温度制御システム及び在庫モニタを備え、販売機制御装置を備えない商品保管ユニットと、
前記商品保管ユニットからは遠隔のデータ処理装置と、
ベンディングブリッジと、を備え、
前記データ処理装置は、前記ベンディングブリッジを介して前記商品保管ユニットの温度制御システム及び在庫モニタと通信して、マスタースレーブ関係の下に、前記データ処理装置が前記温度制御ユニットに対して、前記商品保管ユニット内を所望の温度に維持するように直接的に命令するようにしたことを特徴とする、商品保管システム。
【請求項２】
前記在庫モニタは、棚在庫センサを備えることを特徴とする、請求項１に記載の商品保管システム。
【請求項３】
前記在庫モニタは、在庫可視化インターフェースを備えることを特徴とする、請求項１に記載の商品保管システム。
【請求項４】
前記データ処理装置は在庫モジュールを備え、該在庫モジュールは、前記ベンディングブリッジを介して前記在庫モニタと通信することを特徴とする、請求項１に記載の商品保管システム。
【請求項５】
前記データ処理装置は、エネルギー管理システム仮想設備モジュールを備え、該エネルギー管理システム仮想設備モジュールは前記ベンディングブリッジを介して前記温度制御システムと通信することを特徴とする、請求項１に記載の商品保管システム。
【請求項６】
前記データ処理装置は湿度管理システム仮想設備モジュールを備え、該湿度管理システム仮想設備モジュールは前記ベンディングブリッジを介して前記温度制御システムと通信することを特徴とする、請求項５に記載の商品保管システム。
【請求項７】
前記データ処理装置は温度自動調節器仮想設備モジュールを備え、該温度自動調節器仮想設備モジュールは前記ベンディングブリッジを介して前記温度制御システムと通信することを特徴とする、請求項５に記載の商品保管システム。
【請求項８】
前記データ処理装置は、前記在庫モニタからの出力に基づく一つ又は複数のデータ交換ファイルを含むことを特徴とする、請求項１に記載の商品保管システム。
【請求項９】
温度制御システムを有し、内部に複数の商品が配置されている商品保管ユニットを操作する方法であって、
在庫モニタによって、前記商品保管ユニット内に位置する前記複数の商品を監視するステップと、
前記商品保管ユニット内の前記複数の商品について、前記在庫モニタから、遠隔データ処理装置に直接送信するステップと、
マスタースレーブ関係の下に、前記遠隔データ処理装置からの命令を前記温度制御システムで直接受信して、前記商品保管ユニット内を所望の温度に維持するステップと、
を含むことを特徴とする方法。
【請求項１０】
前記送信するステップ及び前記受信するステップは、ベンディングブリッジを介して送信及び受信することを含むことを特徴とする、請求項９に記載の方法。
【請求項１１】
前記商品保管ユニット内に位置する前記複数の商品を監視するステップは、在庫モニタによって監視することを含むことを特徴とする、請求項９に記載の方法。
【請求項１２】
前記商品保管ユニット内に位置する前記複数の商品を監視するステップは、在庫レベル調整を決定するステップを含むことを特徴とする、請求項９に記載の方法。
【請求項１３】
前記在庫レベル調整に関連する、複数の販売及びマーケティングデータを生成するステップをさらに含む、請求項１２に記載の方法。
【請求項１４】
いつ前記商品保管ユニットにストックを補充することが適当であるかを決定するために、前記複数の販売及びマーケティングデータを分析するステップをさらに含む、請求項１３に記載の方法。
【請求項１５】
前記複数の販売及びマーケティングデータに基づいて、データ交換ファイルを生成するステップをさらに含む、請求項１３に記載の方法。
【請求項１６】
前記データ交換ファイルを提供動作サーバに送信するステップをさらに含む、請求項１５に記載の方法。
【請求項１７】
前記提供動作サーバによるデータ交換ファイルの処理に部分的に基づいて、ルート管理を行うステップをさらに含む、請求項１６に記載の方法。
【請求項１８】
前記データ処理装置は、在庫モジュールを備え、前記方法は、前記在庫モジュールを介してストック補充ルート計画を決定するステップをさらに含む、請求項９に記載の方法。
【請求項１９】
前記商品保管ユニット内の前記複数の商品を監視するステップは、複数の連続した画像を比較して、追加又は取り出された前記複数の商品を決定するステップを含む、請求項９に記載の方法。
【請求項２０】
前記商品保管ユニット内の前記複数の商品を監視するステップは、商品に付随するＲＦＩＤタグを読み込むステップを含む、請求項９に記載の方法。
【請求項２１】
前記温度制御システムを制御するステップは、コンデンサを操作するステップを含むことを特徴とする、請求項９に記載の方法。
【請求項２２】
前記温度制御システムを制御するステップは、湿度を制御するステップを含むことを特徴とする、請求項９に記載の方法。
【請求項２３】
内部に複数の商品が配置された販売機を操作する方法であって、
販売機にて、前記複数の商品のうちの一つについての要求を受信するステップと、
前記販売機からは遠隔のデータ処理装置に前記要求を送信するステップと、
前記販売機における前記複数の商品のうちの一つを提供させるために前記データ処理装置からインストラクションを受信するステップと、
複数の連続した画像を比較して、追加又は取り出された前記複数の商品を決定することによって、前記販売機内の複数の商品を監視するステップと、
前記販売機内の複数の商品について前記データ処理装置に送信するステップと、
を含む方法。
【請求項２４】
前記送信するステップ及び前記受信するステップは、ベンディングブリッジを介して送信及び受信することを含むことを特徴とする、請求項２３に記載の方法。
【請求項２５】
前記販売機内の前記複数の商品を監視するステップは、棚モニタによって監視することを含むことを特徴とする、請求項２３に記載の方法。
【請求項２６】
前記販売機内の複数の商品を監視するステップは、棚在庫レベル調整を決定するステップを含む、
請求項２３に記載の方法。
【請求項２７】
前記棚在庫レベル調整に関連する、複数の販売及びマーケティングデータを生成するステップをさらに含む、請求項２６に記載の方法。
【請求項２８】
前記販売機に、いつストックを補充するのが適切かを決定するために、前記複数の販売及びマーケティングデータを分析するステップをさらに含む、請求項２７に記載の方法。
【請求項２９】
前記複数の販売及びマーケティングデータに基づいて、データ交換ファイルを生成するステップをさらに含む、請求項２３に記載の方法。
【請求項３０】
前記データ交換ファイルを提供動作サーバに送信するステップをさらに含む、請求項２９に記載の方法。
【請求項３１】
前記提供動作サーバによるデータ交換ファイルの処理に部分的に基づいて、ルート管理を行うステップをさらに含む、請求項３０に記載の方法。
【請求項３２】
前記データ処理装置は、在庫モジュールを備え、前記方法は、前記在庫モジュールを介してストック補充ルート計画を決定するステップをさらに含む、請求項２３に記載の方法。
【請求項３３】
前記販売機内の前記複数の商品を監視するステップは、商品に付随するＲＦＩＤタグを読み込むステップを含む、請求項２３に記載の方法。